(57)【要約】【課題】  容易に電池パックの取り外しができ、作業効率のよい運搬が可能な携帯用ブロワを提供する。【解決手段】  電池パック４で駆動されるモーターを動力源とする携帯用ブロワ１であって、グリップ部３と、ファンとモーターが組み込まれる送風部５と、ファンからの風を吹き出す吹き出し口６と、電池パック４を取り付ける電池パック取り付け部８とを有する携帯用ブロワ１において、電池パック４は、グリップ部３の長手方向に略直角な方向の送風部５の下方側に取り外し可能な構成とした。【選択図】図２
2011078873.tif 000002
【特許請求の範囲】
【請求項１】
電池パックで駆動されるモーターを動力源とする携帯用ブロワであって、グリップ部と、ファンと該モーターが組み込まれる送風部と、該ファンからの風を吹き出す吹き出し口と、該電池パックを取り付ける電池パック取り付け部とを有する携帯用ブロワにおいて、該電池パックは、該グリップ部の長手方向に略直角な方向の該送風部の下方側に取り外し可能であることを特徴とする携帯用ブロワ。
【請求項２】
該電池パック取り付け部にフックを設けたことを特徴とする請求項１記載の携帯用ブロワ。
【発明の詳細な説明】
【技術分野】
【０００１】
本発明は電池パックを備えた携帯用ブロワにおいて、電池パックを容易に取り外すことが可能で、腰のベルト等に引っ掛けて運ぶことができる携帯用ブロワに関するものである。
【背景技術】
【０００２】
従来から、ごみ等を吹き飛ばして掃除をする携帯用ブロワが知られている。図４は特許文献１に開示の携帯用ブロワ１００であり、電池パック１１０によりファン１２０を回転させ、生じた空気流を吹き出し口１３０から矢印Ｃ方向へ噴射するものである。電池パック１１０を再充電のため本体からはずす場合は、一方の手でグリップ１４０を握り他方の手で電池パック１１０をつかんで下方向（Ａ方向）へ引っ張る必要があった。また、携帯用ブロワ１００を運ぶ時は、手でグリップ１４０あるいは吊りひも１５０を持つ必要があった。
【先行技術文献】
【特許文献】
【０００３】
【特許文献１】特開平９−９４５４５号公報
【発明の概要】
【発明が解決しようとする課題】
【０００４】
しかし、上記の構成では、人は上下に引っ張るよりも左右に引っ張る方が大きな力を容易に出すことができるので、人間工学上から操作性が良いとはいえなかった。また、携帯用ブロワ１００を運ぶ時には、手でグリップ１４０あるいは吊りひも１５０を持つ必要があり、その分他の物を運ぶことができず作業効率が悪いという問題があった。
【０００５】
本発明は、上記の問題を解決するものであり、容易に電池パックの取り外しができ、作業効率のよい運搬が可能な携帯用ブロワを提供するものである。
【課題を解決するための手段】
【０００６】
上記の目的を達成するために、電池パックで駆動されるモーターを動力源とする携帯用ブロワであって、グリップ部と、ファンとモーターが組み込まれる送風部と、ファンからの風を吹き出す吹き出し口と、電池パックを取り付ける電池パック取り付け部とを有する携帯用ブロワにおいて、電池パックは、グリップ部の長手方向に略直角な方向の送風部の下方側に取り外し可能な構成とした。
【発明の効果】
【０００７】
本発明によれば、上記の構成としたので、電池パックの取り外しが容易で、作業効率のよい運搬が可能な携帯用ブロワを提供することが可能となる。
【図面の簡単な説明】
【０００８】
【図１】本発明にかかる携帯用ブロワの正面図である。
【図２】電池パックをはずした携帯用ブロワの正面図である。
【図３】本発明にかかる携帯用ブロワの斜視図である。
【図４】従来の携帯用ブロワである。
【発明を実施するための形態】
【０００９】
以下、本発明を実施するための好適な実施形態について、図面に基づいて説明する。
【実施例１】
【００１０】
以下の説明では、説明の便宜のために携帯用ブロワ１の使用状態に応じた方向を定義することとする。すなわち、図１にて図示するように、ノズル９が設置される側を「前」、グリップ部３側を「後」、図１における紙面下側を「下」、図１における紙面上側を「上」と呼ぶこととする。
【００１１】
本実施形態に係る携帯用ブロワ１は、左右一対の半割り形状のハウジング部材を重ね合わせて組み立てたハウジング２の中に、トリガースイッチ１０や不図示のファンやモーターを組み込んで作られている。ハウジング２は、携帯用ブロワ１の使用者が手で握るグリップ部３、ファンやモーターが組み込まれた部分である送風部５、ファンからの風が出る吹き出し部６、グリップ部３と送風部５を連結する連結部７、電池パック４を取り付ける電池パック取り付け部８で構成されており、電池パック取り付け部８はグリップ部３の長手方向下端に位置していて、グリップ部３と送風部５を連結する働きも兼ねている。４ａは、電池パック４が電池パック取り付け部８から外れないようにするためのフックボタンであり、図１、図３に図示されているように電池パック４の両側にあり、電池パック４を電池パック取り付け部８から取り外す場合は、指でこのフックボタン４ａ、４ａを押えて、不図示のロック機構を解除する必要がある。９は吹き出し部６の先に取り外し自在に装着されたノズルである。
【００１２】
図１は電池パック４を装着した携帯用ブロワ１であるが、図２は電池パック４をはずした状態を表す図である。電池パック４の取り外しは図中矢印Ｘで示した取り外し方向へ電池パック４を移動させることにより行われ、取り外し方向（矢印Ｘ）はグリップ部３の長手方向の軸線Ｙに略直角な方向の送風部５の下方側であり、携帯用ブロワ１の前後方向を含む平面上にある。８ａは電池パック取り付け部８の下面であり、取り外し方向（矢印Ｘ）と略平行となるよう形成されており、電池パック４の上面に接する部位である。８ｂは電池パック取り付け部８の電池パック接続部であり中に複数の電極８ｃを有し、電池パック４の相対する不図示の電極部と接触して電池パック４から電力を受け取る働きをするものであるが、本発明の実施例では軸線Ｙ方向において下面８ａより下に出る構成とされている。５ａは取り外し方向（矢印Ｘ）と直角な方向の送風部５の端部であり、取り外し方向（矢印Ｘ）と直角な方向において下面８ａより下には出ないように構成されている。
【００１３】
図２、図３において、２０はフックでありネジ２１等でハウジング２の一部である電池パック取り付け部８の後方に取り付けられている。２２はＬＥＤ等で構成された表示部で、例えばファンの回転数や電池パック４の残容量に応じてＬＥＤの発光輝度や発光数を変えるよう不図示の制御回路により制御される。
【００１４】
以上のように構成された携帯用ブロワ１において再充電等のために電池パック４を携帯用ブロワ１から取り外す場合には、携帯用ブロワ１の使用者は、一方の手でグリップ部３を握り、他方の手で電池パック４のフックボタン４ａ、４ａをつまんで押し込み、そのままつかんで左右方向に電池パック４を引き抜くのである。また、携帯用ブロワ１の電池パック取り付け部８にフック２０を設けたので、携帯用ブロワ１を腰のベルト等に引っ掛けて運ぶことが可能となる。このフック２０は電池パック取り付け部８の後方に取り付けられているので、フックボタン４ａ、４ａを押えて電池パック４を携帯用ブロワ１から取り外す場合にフック２０が邪魔になることはない。
【００１５】
本発明による携帯用ブロワ１は、上述した実施の形態に限定されず、特許請求の範囲に記載した範囲で種々の変形や改良が可能である。例えば、本実施の形態では、取り外し方向（矢印Ｘ）は携帯用ブロア１の前後方向とは一定の角度をもって構成されているが、取り外し方向（矢印Ｘ）と携帯用ブロワ１の前後方向は平行であってもよい。
【産業上の利用可能性】
【００１６】
この発明は、携帯用ブロワについて有用である。
【符号の説明】
【００１７】
１  携帯用ブロワ、２  ハウジング、３  グリップ部、４  電池パック、４ａ  フックボタン、５  送風部、６  吹き出し口、８  電池パック取り付け部、８ａ  下面、９  ノズル、２０  フック
【図１】
2011078873.tif 000003
【図２】
2011078873.tif 000004
【図３】
2011078873.tif 000005
【図４】
2011078873.tif 000006